(57)【要約】【課題】集合玄関機と住戸端末との間でインターネットを介して接続し、通話できる集合住宅用インターホン装置を提供する。【解決手段】集合玄関機及び住戸端末はインターネットを経由して接続され、インターネット通信サービスを用いた音声・映像通信機能をそれぞれ有し、集合玄関機は複数の住戸毎の居室番号を入力して呼出操作を行うための玄関機操作部と、玄関機操作部にて入力された居室番号とインターネット通信サービスにおけるクライアント名とを対応させた対応テーブル及び玄関機カメラで撮像された映像を記憶する映像メモリを有する玄関機記憶部と、玄関機記憶部から読出したクライアント名で住戸端末を呼出すための玄関機ＣＰＵを備え、住戸端末は、集合玄関機より伝送されてくるクライアント名と自住戸端末が有するクライアント名との一致により呼出報知を行うための端末ＣＰＵを備えている。【選択図】図１
2014045307.tif 000002
【特許請求の範囲】
【請求項１】
集合住宅の集合玄関に設置される集合玄関機（１００）及び複数の住戸内に設置される住戸端末（１２０、１２０、・・・）が接続されて通信を行う集合住宅用インターホン装置であって、
前記集合玄関機及び複数の住戸内に設置される住戸端末はインターネット（１７０）を経由してＬＡＮ回線（１８０）により接続されており、
前記集合玄関機は、インターネット通信サービスを用いた音声・映像通信機能を有し、
前記複数の住戸毎の居室番号を入力して呼出操作を行うための玄関機操作部（１０１）と、前記玄関機操作部にて入力された前記居室番号と前記インターネット通信サービスにおけるクライアント名とを対応させた対応テーブル（１０７）及び玄関機カメラ（１０５）で撮像された映像を記憶する映像メモリ（１０８）を有する玄関機記憶部（１０９）と、前記玄関機記憶部から読出した前記クライアント名で前記住戸端末を呼出すための玄関機ＣＰＵ（１１２）とを備え、
前記住戸端末は、インターネット通信サービスを用いた音声・映像通信機能を有し、
前記集合玄関機より伝送されてくる前記クライアント名と自住戸端末が有するクライアント名との一致により呼出報知を行うための端末ＣＰＵ（１３０）を備えることを特徴とする集合住宅用インターホン装置。
【請求項２】
前記インターネットには、住戸玄関に設置されるインターネット通信サービスを用いた前記音声・映像通信機能を有する玄関子機（１４０、１４０、・・・）が接続され、
前記玄関子機は、呼出操作を行うための子機操作部（１４１）と、前記子機操作部の操作を検出し予め設定された前記クライアント名で前記住戸端末を呼出すための子機ＣＰＵ（１５０）とを備え、
前記住戸端末は、前記玄関子機より伝送されてくる前記クライアント名と自住戸端末が有するクライアント名との一致により呼出報知を行うための端末ＣＰＵ（１３０）を備えることを特徴とする請求項１記載の集合住宅用インターホン装置。
【請求項３】
前記住戸端末は、前記集合玄関機からの呼出に応答するための端末操作部（１２１）と、音声通信を行うための端末通話部（１２４）とを備え、
前記住戸端末の前記端末ＣＰＵは、前記端末操作部による応答操作を検出して前記端末通話部を用いた音声通信機能を能動とするとともに、前記端末通話部の使用による通話時において前記端末操作部を用いた電気錠解錠操作が有効であるとして検出し、前記集合玄関機に接続された集合玄関機電気錠（１１４）を解錠させることを特徴とする請求項１記載の集合住宅用インターホン装置。
【請求項４】
前記住戸端末は、前記玄関子機からの呼出に応答するための端末操作部（１２１）と、音声通信を行うための端末通話部（１２４）とを備え、
前記住戸端末の前記端末ＣＰＵは、前記端末操作部による応答操作を検出して前記端末通話部を用いた音声通信機能を能動とするとともに、前記端末通話部の使用による通話時において前記端末操作部を用いた電気錠解錠操作が有効であるとして検出し、前記玄関子機に接続された玄関子機電気錠（１５２）を解錠させることを特徴とする請求項２記載の集合住宅用インターホン装置。
【請求項５】
前記集合玄関機の前記玄関機ＣＰＵは、前記クライアント名に一致する前記住戸端末から前記インターネットを経由した電話発信を着信したとき、玄関機通話部（１０４）を用いた音声通信機能を能動とするとともに玄関機カメラ（１０５）を駆動させ、前記玄関機カメラにて撮像された映像を電話発信元の住戸端末に送信することを特徴とする請求項１又は請求項３記載の集合住宅用インターホン装置。
【請求項６】
前記玄関子機の前記子機ＣＰＵは、前記クライアント名に一致する前記住戸端末から前記インターネットを経由した電話発信を着信したとき、子機通話部（１４４）を用いた音声通信機能を能動とするとともに子機カメラ（１４５）を駆動させ、前記子機カメラにて撮像された映像を電話発信元の住戸端末に送信することを特徴とする請求項２又は請求項４記載の集合住宅用インターホン装置。
【請求項７】
前記集合玄関機の前記玄関機ＣＰＵは、前記クライアント名と不一致とされる前記住戸端末から前記インターネットを経由した電話発信を無効であると判断することを特徴とする請求項１、請求項３及び請求項５記載のうち何れか１項記載の集合住宅用インターホン装置。
【請求項８】
前記玄関子機の前記子機ＣＰＵは、前記クライアント名と不一致とされる前記住戸端末から前記インターネットを経由した電話発信を無効であると判断することを特徴とする請求項２、請求項４及び請求項６のうち何れか１項記載の集合住宅用インターホン装置。
【請求項９】
前記集合玄関機は、前記玄関機カメラにて撮像された映像を保存するための玄関機記憶部（１０９）を備え、
前記集合玄関機の前記玄関機ＣＰＵは、前記クライアント名で呼出した前記住戸端末からの応答がないとき、前記玄関機記憶部に保存された映像を含むインスタントメッセージを生成して呼出先の当該住戸端末に送信することを特徴とする請求項１、請求項３、請求項５及び請求項７のうち何れか１項記載の集合住宅用インターホン装置。
【請求項１０】
前記玄関子機は、前記子機カメラにて撮像された映像を保存するための子機記憶部（１４９）を備え、
前記玄関子機の前記子機ＣＰＵは、前記クライアント名で呼出した前記住戸端末からの応答がないとき、前記子機記憶部に保存された映像を含むインスタントメッセージを生成して呼出先の当該住戸端末に送信することを特徴とする請求項２、請求項４、請求項６及び請求項８のうち何れか１項記載の集合住宅用インターホン装置。
【請求項１１】
前記集合玄関機の前記玄関機ＣＰＵは、前記クライアント名で呼出した前記住戸端末からの応答がないとき、前記インターネットを介して固定電話、携帯電話、又はコールセンター等に設置される機器等の外部通信機器（１６０）に転送呼出を行うことを特徴とする請求項１、請求項３、請求項５、請求項７及び請求項９のうち何れか１項記載の集合住宅用インターホン装置。
【請求項１２】
前記玄関子機の前記子機ＣＰＵは、前記クライアント名で呼出した前記住戸端末からの応答がないとき、前記インターネットを介して固定電話、携帯電話、又はコールセンター等に設置される機器等の外部通信機器（１６０）に転送呼出を行うことを特徴とする請求項２、請求項４、請求項６、請求項８及び請求項１０のうち何れか１項記載の集合住宅用インターホン装置。
【請求項１３】
前記集合玄関機の前記玄関機ＣＰＵから前記外部通信機器への転送呼出は、玄関機タイマ（１１５）にて計時される所定の時間帯に対応させて行われることを特徴とする請求項１１記載の集合住宅用インターホン装置。
【請求項１４】
前記玄関子機の前記玄関機ＣＰＵから前記外部通信機器への転送呼出は、子機タイマ（１５３）にて計時される所定の時間帯に対応させて行われることを特徴とする請求項１２記載の集合住宅用インターホン装置。
【請求項１５】
前記集合玄関機は、前記外部通信機器により設定又はメンテナンスされることを特徴とする請求項１１又は請求項１３記載の集合住宅用インターホン装置。
【請求項１６】
前記玄関子機は、前記外部通信機器により設定又はメンテナンスされることを特徴とする請求項１２又は請求項１４記載の集合住宅用インターホン装置。
【請求項１７】
前記集合玄関機の前記玄関機通話部は、グループビデオ通話機能を有し、
前記住戸端末の前記端末通話部は、ビデオ通話機能を有し、
前記集合玄関機の前記玄関機ＣＰＵは、前記インターネットを経由して接続される前記玄関機通話部との間の通話ラインとして、複数の住戸端末の前記端末通話部との間で同時通話が可能なビデオ通話ラインを形成することを特徴とする請求項１、請求項３、請求項５、請求項７、請求項９、請求項１１、請求項１３及び請求項１５のうち何れか１項記載の集合住宅用インターホン装置。
【請求項１８】
前記玄関子機の前記子機通話部は、グループビデオ通話機能を有し、
前記住戸端末の前記端末通話部は、ビデオ通話機能を有し、
前記玄関子機の前記子機ＣＰＵは、前記インターネットを経由して接続される前記子機通話部との間の通話ラインとして、当該住戸端末内の複数の前記端末通話部との間で同時通話が可能なビデオ通話ラインを形成することを特徴とする請求項２、請求項４、請求項６、請求項８、請求項１０、請求項１２、請求項１４及び請求項１６のうち何れか１項記載の集合住宅用インターホン装置。
【発明の詳細な説明】
【技術分野】
【０００１】
本発明は、集合住宅用インターホン装置において、インターネット通信サービスの音声・映像通信機能を用い、集合玄関機で部屋番号を置数し呼出ボタンを押下すると、部屋番号をインターネット通信サービスのクライアント名に変換し、このクライアント名に対応した端末を呼出し、通話することができるインターホン装置に関する。
【背景技術】
【０００２】
従来の集合住宅用インターホンシステムは、図２に示すように集合玄関機２００、制御機２１０および玄関子機及び居室親機等を含む住戸端末２２０で構成され、来訪者が集合玄関機のテンキー２０１を置数し居住者の部屋番号を表示部２０２に表示させ、呼出ボタン２０３を押すと住戸端末で呼出音が鳴動する。なお、集合玄関機には来訪者の映像を撮像するための玄関機カメラ２０４、来訪者と居住者が通話するための通話部２０５が設けられている。来訪者からの呼出があると居住者は住戸端末で端末操作部２２１の通話ボタンを押下し、集合玄関機と住戸端末間で端末通話部２２２により通話が可能になるものであった。来訪者の映像は端末表示部２２３に表示される。また住戸玄関に設置された住戸玄関子機の呼出ボタンを押下すると住戸玄関子機に接続された住戸端末で呼出音が鳴動し、住戸端末で通話ボタンを押下すると住戸玄関子機と住戸端末間での通話が可能になるものであった。これらの集合玄関機、住戸玄関子機、住戸端末はそれぞれ通信線により接続されている。
【０００３】
このような従来の集合住宅用インターホンシステムにおいては、居住者が不在の場合は応答がないため来訪者は居住者との通話ができないという不都合があった。このような状況を改善するために、近年来訪者が呼出をして住戸内の居住者が不在の時に、その住戸指定の複数の携帯無線端末機を一斉に呼出して何れかの携帯無線端末機と通話できるインターホンシステムが開示されている（例えば、特許文献１参照）。
【先行技術文献】
【特許文献】
【０００４】
【特許文献１】特開２００７−１２４１３９号公報
【発明の概要】
【発明が解決しようとする課題】
【０００５】
上述のような従来の集合住宅用インターホンシステムにおいて、例えば図２に示す集合住宅用インターホンシステムでは、専用の住戸端末、制御機を購入設置することによりシステム価格が高くなってしまうことがあった。また住戸端末と制御機間の配線が有線であり施工性が悪いこと、さらに住戸端末が通常壁掛設置しかなく施工および室内デザインの面で制約があった。また配線距離や線種についても制約がありインターホンシステムのリニューアルを困難にしていることもあった。
【０００６】
一方、特許文献１に記載の集合住宅用インターホンシステムでは居住者が不在時の問題は解決できるが、上述したような従来の集合住宅用インターホンシステムが有する問題は依然として解決できていなかった。
【０００７】
本発明は上記の課題を解決するためになされたもので、インターネットのような汎用ネットワークを経由してそれぞれ別々の集合住宅インターホンシステム同士を連動し、より利便性の高いサービスを提供できるようにしたものである。
【課題を解決するための手段】
【０００８】
本発明によるインターホン装置の第１の態様によれば、集合住宅の集合玄関に設置される集合玄関機及び複数の住戸内に設置される住戸端末が接続されて通信を行う集合住宅用インターホン装置であって、集合玄関機及び複数の住戸内に設置される住戸端末はインターネットを経由してＬＡＮ回線により接続されており、集合玄関機は、インターネット通信サービスを用いた音声・映像通信機能を有し、複数の住戸毎の居室番号を入力して呼出操作を行うための玄関機操作部と、玄関機操作部にて入力された居室番号とインターネット通信サービスにおけるクライアント名とを対応させた対応テーブル及び玄関機カメラで撮像された映像を記憶する映像メモリを有する玄関機記憶部と、玄関機記憶部から読出したクライアント名で住戸端末を呼出すための玄関機ＣＰＵとを備え、住戸端末は、インターネット通信サービスを用いた音声・映像通信機能を有し、集合玄関機より伝送されてくるクライアント名と自住戸端末が有するクライアント名との一致により呼出報知を行うための端末ＣＰＵを備えることを特徴とする。
【０００９】
また、本発明によるインターホン装置の第２の態様によれば、第１の態様において、インターネットには、住戸玄関に設置されるインターネット通信サービスを用いた音声・映像通信機能を有する玄関子機が接続され、玄関子機は、呼出操作を行うための子機操作部と、子機操作部の操作を検出し予め設定されたクライアント名で住戸端末を呼出すための子機ＣＰＵとを備え、住戸端末は、玄関子機より伝送されてくるクライアント名と自住戸端末が有するクライアント名との一致により呼出報知を行うための端末ＣＰＵを備えることを特徴とする。
【００１０】
さらに、本発明によるインターホン装置の第３の態様によれば、第１の態様において、住戸端末は、集合玄関機からの呼出に応答するための端末操作部と、音声通信を行うための端末通話部とを備え、住戸端末の端末ＣＰＵは、端末操作部による応答操作を検出して端末通話部を用いた音声通信機能を能動とするとともに、端末通話部の使用による通話時において端末操作部を用いた電気錠解錠操作が有効であるとして検出し、集合玄関機に接続された集合玄関機電気錠を解錠させることを特徴とする。
【００１１】
また、本発明によるインターホン装置の第４の態様によれば、第２の態様において、住戸端末は、玄関子機からの呼出に応答するための端末操作部と、音声通信を行うための端末通話部とを備え、住戸端末の前記端末ＣＰＵは、端末操作部による応答操作を検出して端末通話部を用いた音声通信機能を能動とするとともに、端末通話部の使用による通話時において端末操作部を用いた電気錠解錠操作が有効であるとして検出し、玄関子機に接続された玄関子機電気錠を解錠させることを特徴とする。
【００１２】
さらに、本発明によるインターホン装置の第５の態様によれば、第１又は第３の態様において、集合玄関機の玄関機ＣＰＵは、クライアント名に一致する住戸端末からインターネットを経由した電話発信を着信したとき、玄関機通話部を用いた音声通信機能を能動とするとともに玄関機カメラを駆動させ、玄関機カメラにて撮像された映像を電話発信元の住戸端末に送信することを特徴とする。
【００１３】
また、本発明によるインターホン装置の第６の態様によれば、第２又は第４の態様において、玄関子機の子機ＣＰＵは、クライアント名に一致する住戸端末からインターネットを経由した電話発信を着信したとき、子機通話部を用いた音声通信機能を能動とするとともに子機カメラを駆動させ、子機カメラにて撮像された映像を電話発信元の住戸端末に送信することを特徴とする。
【００１４】
さらに、本発明によるインターホン装置の第７の態様によれば、第１、第３及び第５の態様のうち何れか１つの態様において、集合玄関機の玄関機ＣＰＵは、クライアント名と不一致とされる住戸端末からインターネットを経由した電話発信を無効であると判断することを特徴とする。
【００１５】
また、本発明によるインターホン装置の第８の態様によれば、第２、第４及び第６の態様のうち何れか１つの態様において、玄関子機の子機ＣＰＵは、クライアント名と不一致とされる住戸端末からインターネットを経由した電話発信を無効であると判断することを特徴とする。
【００１６】
さらに、本発明によるインターホン装置の第９の態様によれば、第１、第３、第５及び第７の態様のうち何れか１つの態様において、集合玄関機は、玄関機カメラにて撮像された映像を保存するための玄関機記憶部を備え、集合玄関機の玄関機ＣＰＵは、クライアント名で呼出した住戸端末からの応答がないとき、玄関機記憶部に保存された映像を含むインスタントメッセージを生成して呼出先の当該住戸端末に送信することを特徴とする。
【００１７】
また、本発明によるインターホン装置の第１０の態様によれば、第２、第４、第６及び第８の態様のうち何れか１つの態様において、玄関子機は、子機カメラにて撮像された映像を保存するための子機記憶部を備え、玄関子機の子機ＣＰＵは、クライアント名で呼出した住戸端末からの応答がないとき、子機記憶部に保存された映像を含むインスタントメッセージを生成して呼出先の当該住戸端末に送信することを特徴とする。
【００１８】
さらに、本発明によるインターホン装置の第１１の態様によれば、第１、第３、第５、第７及び第９の態様のうち何れか１つの態様において、集合玄関機の玄関機ＣＰＵは、クライアント名で呼出した住戸端末からの応答がないとき、インターネットを介して固定電話、携帯電話、又はコールセンター等に設置される機器等の外部通信機器に転送呼出を行うことを特徴とする。
【００１９】
また、本発明によるインターホン装置の第１２の態様によれば、第２、第４、第６、第８及び第１０の態様のうち何れか１つの態様において、玄関子機の子機ＣＰＵは、クライアント名で呼出した住戸端末からの応答がないとき、インターネットを介して固定電話、携帯電話、又はコールセンター等に設置される機器等の外部通信機器に転送呼出を行うことを特徴とする。
【００２０】
さらに、本発明によるインターホン装置の第１３の態様によれば、第１１の態様において、集合玄関機の玄関機ＣＰＵから外部通信機器への転送呼出は、玄関機タイマにて計時される所定の時間帯に対応させて行われることを特徴とする。
【００２１】
また、本発明によるインターホン装置の第１４の態様によれば、第１２の態様において、玄関子機の玄関機ＣＰＵから外部通信機器への転送呼出は、子機タイマにて計時される所定の時間帯に対応させて行われることを特徴とする。
【００２２】
さらに、本発明によるインターホン装置の第１５の態様によれば、第１１又は第１３の態様において、集合玄関機は、外部通信機器により設定又はメンテナンスされることを特徴とする。
【００２３】
また、本発明によるインターホン装置の第１６の態様によれば、第１２又は第１４の態様において、玄関子機は、外部通信機器により設定又はメンテナンスされることを特徴とする。
【００２４】
さらに、本発明によるインターホン装置の第１７の態様によれば、第１、第３、第５、第７、第９、第１１、第１３及び第１５の態様うち何れか１つの態様において、集合玄関機の玄関機通話部は、グループビデオ通話機能を有し、住戸端末の端末通話部は、ビデオ通話機能を有し、集合玄関機の玄関機ＣＰＵは、インターネットを経由して接続される玄関機通話部との間の通話ラインとして、複数の住戸端末の端末通話部との間で同時通話が可能なビデオ通話ラインを形成することを特徴とする。
【００２５】
また、本発明によるインターホン装置の第１８の態様によれば、第２、第４、第６、第８、第１０、第１２、第１４及び第１６の態様うち何れか１つの態様において、玄関子機の子機通話部は、グループビデオ通話機能を有し、住戸端末の端末通話部は、ビデオ通話機能を有し、玄関子機の子機ＣＰＵは、インターネットを経由して接続される子機通話部との間の通話ラインとして、当該住戸端末内の複数の端末通話部との間で同時通話が可能なビデオ通話ラインを形成することを特徴とする。
【発明の効果】
【００２６】
このように構成された本発明の集合住宅用インターホン装置によれば、従来のような専用の住戸端末、制御機を設置しなくてもインターホン装置が構築でき、システム価格を大幅に抑えることが可能である。またインターネット通信サービスにおけるクライアント名が付与される機能を持つ端末が今後多くのメーカーから供給されることで、先端の端末を随時導入することが可能なため将来の装置の陳腐化を防ぎ、またいわゆるタブレット端末やデジタルテレビと共用できることで新たに専用の端末を購入しなくて済む集合住宅用インターホン装置を低価格で提供できる。
【図面の簡単な説明】
【００２７】
【図１】本発明のインターホン装置のブロック図である。
【図２】従来のインターホン装置のシステム構成図である。
【発明を実施するための形態】
【００２８】
以下、本発明による集合住宅用インターホン装置を適用した好ましい実施の形態について、図面を参照して説明する。
【００２９】
本発明の集合住宅用インターホン装置は図１に示すように、集合玄関機１００及び複数の住戸端末１２０がインターネット１７０を介してＬＡＮ回線１８０にて接続されている。
【００３０】
集合玄関機１００にはインターネット通信サービスを用いた音声・映像通信機能がインストールされている。このインターネット通信サービスを用いた音声・映像通信機能は、例えばＳｋｙｐｅ（スカイプ；登録商標）などが挙げられる。
【００３１】
集合玄関機１００は、来訪者がテンキーや呼出ボタンを操作して目的の住戸端末１２０を呼出すための玄関機操作部１０１、来訪者の呼出に応じて住戸端末１２０から居住者が応答する際に来訪者が住戸端末１２０と通話するためのマイク（ＭＩＣ）１０２や住戸端末からの音声を報知するスピーカ（ＳＰ）１０３を有する玄関機通話部１０４を備えている。
【００３２】
また、集合玄関機１００は、住戸端末１２０を呼出す際に来訪者を撮像する玄関機カメラ１０５、目的の住戸端末の居室番号や住戸端末１２０から送信されてくる画像を表示する玄関機表示部１０６、インターネット通信サービスにおけるクライアント名と居室番号を対応させた対応テーブル１０７及び玄関機カメラで撮像された映像を記憶する映像メモリ１０８を有する玄関機記憶部１０９、玄関機通話部１０４の音声を処理する玄関機音声処理部１１０、玄関機カメラ１０５の映像を処理する玄関機映像処理部１１１を備えている。
【００３３】
これらの玄関機操作部１０１、玄関機表示部１０６、玄関機記憶部１０９、玄関機音声処理部１１０、玄関機映像処理部１１１は玄関機ＣＰＵ１１２に接続され、また玄関機通話部１０４は玄関機音声処理部１１０を介して、玄関機カメラ１０５は玄関機映像処理部１１１を介して玄関機ＣＰＵ１１２にそれぞれ接続されている。
【００３４】
玄関機ＣＰＵ１１２には集合玄関機電気錠側インターフェース（Ｉ／Ｆ）１１３を介して集合玄関機電気錠１１４が接続されており、また後述する外部通信機器１６０との接続において所定の時間を計時する玄関機タイマ１１５が接続されている。
【００３５】
これらの各機器は玄関機ＣＰＵ１１２の制御の下でネット側玄関機Ｉ／Ｆ１１６を介してＬＡＮ回線１８０によりインターネット１７０と接続されている。
【００３６】
一方、住戸端末１２０には集合玄関機１００と同様にインターネット通信サービスを用いた音声・映像通信機能がインストールされている。住戸端末１２０は、来訪者が集合玄関機１００から目的の住戸端末１２０を呼出した時に応答するための端末操作部１２１、来訪者との間で音声通信を行うために、来訪者と通話するためのマイク（ＭＩＣ）１２２や集合玄関機１００からの音声を報知するスピーカ（ＳＰ）１２３を有する端末通話部１２４を備えている。
【００３７】
また、住戸端末１２０は、来訪者と通話する時に居住者を撮像するための端末カメラ１２５、集合玄関機１００から送信されてくる来訪者の画像を表示する端末表示部１２６、端末通話部１２４の音声を処理する端末音声処理部１２７、端末カメラ１２５の映像を処理する端末映像処理部１２８、端末カメラ１２５で撮像された映像を内蔵する映像メモリ（不図示）に記憶する端末記憶部１２９を備えている。
【００３８】
これらの端末操作部１２１、端末表示部１２６、端末音声処理部１２７、端末映像処理部１２８、端末記憶部１２９は端末ＣＰＵ１３０に接続され、また端末通話部１２４は端末音声処理部１２７を介して、端末カメラ１２５は端末映像処理部１２８を介して端末ＣＰＵ１３０にそれぞれ接続されている。
【００３９】
住戸端末１２０にはネット側端末Ｉ／Ｆ１３１が備えられており、住戸端末１２０に備えられている各機器はこのネット側端末Ｉ／Ｆ１３１を介して端末ＣＰＵ１３０の制御の下でＬＡＮ回線１８０によりインターネット１７０と接続されている。
【００４０】
ところで、上述した本発明の集合住宅用インターホン装置においては、基本的には集合玄関機と住戸端末との間をインターネットを介して接続するものであり、玄関子機を設けないインターホン装置についてその構成を説明した。このような基本的構成に加えて玄関子機もインターネットを介して接続する構成を選択することも可能である。
【００４１】
図１に示すように、玄関子機１４０には、集合玄関機１００や住戸端末１２０と同様にインターネット通信サービスを用いた音声・映像通信機能がインストールされている。玄関子機１４０は、来訪者が住戸端末１２０を呼出すための子機操作部１４１、来訪者の呼出に応じて住戸端末１２０から居住者が応答する際に来訪者が住戸端末１２０と通話するためのマイク（ＭＩＣ）１４２や住戸端末からの音声を報知するスピーカ（ＳＰ）１４３を有する子機機通話部１４４を備えている。
【００４２】
また、玄関子機１４０は、住戸端末１２０を呼出す際に来訪者を撮像する子機カメラ１４５、住戸端末１２０から送信されてくる画像を表示する子機表示部１４６、子機通話部１４４の音声を処理する子機音声処理部１４７、子機カメラ１４５の映像を処理する子機映像処理部１４８、子機カメラ１４５で撮像された映像を内蔵する映像メモリ（不図示）に記憶する子機記憶部１４９を備えている。
【００４３】
これらの子機操作部１４１、子機表示部１４６、子機音声処理部１４７、子機映像処理部１４８、子機記憶部１４９は子機ＣＰＵ１５０に接続され、また子機通話部１４４は子機音声処理部１４７を介して、子機カメラ１４５は子機映像処理部１４８を介して子機ＣＰＵ１５０にそれぞれ接続されている。
【００４４】
子機ＣＰＵ１５０には玄関子機電気錠側Ｉ／Ｆ１５１を介して玄関子機電気錠１５２が接続されており、また後述する外部通信機器１６０との接続において所定の時間を計時する子機タイマ１５３が接続されている。
【００４５】
これらの各機器は子機ＣＰＵ１５０の制御の下でネット側子機Ｉ／Ｆ１５４を介してＬＡＮ回線１８０によりインターネット１７０と接続されている。
【００４６】
次に、このような本発明の集合住宅用インターホン装置における動作について説明する。本発明の集合住宅用インターホン装置における集合玄関機１００、住戸端末１２０及び玄関子機１４０には前述したようにインターネット通信サービスを用いた音声・映像通信機能がインストールされている。集合玄関機１００及び玄関子機１４０にはインターネット通信サービスにおける住戸端末１２０のクライアント名及びパスワードが予め設定されている。そして居室番号とクライアント名の対応は玄関機記憶部１０９の対応テーブル１０７にて行われる。ここで、住戸端末１２０はインターネット通信サービスにおけるクライアント端末として機能する。クライアント端末は住戸端末１２０内に複数存在してもよい。
【００４７】
まず、来訪者が集合玄関機１００の玄関機操作部１０１にあるテンキーを操作し、呼出したい住戸端末１２０の居室番号を置数すると、玄関機表示部１０６に居室番号が表示される。次いで玄関機操作部１０１にある呼出ボタンを押下すると、集合玄関機１００の玄関機ＣＰＵ１１２は玄関機億部１０９の対応テーブル１０７から住戸端末１２０の居室番号とクライアント名を対応させ、居室番号を該当するクライアント名に変換し、該当する住戸端末（クライアント端末）１２０を呼出す。
【００４８】
呼出されたクライアント端末は着信音が鳴動し、居住者が端末操作部１２１により通話開始操作を行うことで集合玄関機１００との間で通話状態に入る。クライアント端末がビデオ通話可能であればクライアント端末側の端末表示部１２６に集合玄関機１００の玄関機カメラ１０５にて撮像された来訪者の映像が表示される。また、居住者が来訪者と通話をする際に端末操作部１２１を操作して端末カメラ１２５を能動とすれば集合玄関機１００の玄関機表示部１０６に居住者の映像を表示することもできる。
【００４９】
このような動作において、予め設定されているクライアント名及びパスワードは来訪者には知らせることなく呼出通話ができるので、セキュリティの保護が確保でき、居住者のプライバシーに配慮したインターホン装置を提供することができる。
【００５０】
このような動作は玄関子機１４０と住戸端末（クライアント端末）１２０との間においても同様である。来訪者が玄関子機１４０の子機操作部１４１にある呼出ボタンを押下すると、玄関子機１４０は予め設定されているクライアント名でクライアント端末を呼出す。この場合、玄関子機１４０と住戸端末１２０の居室番号とクライアント名は１：１の対応なので集合玄関機１００のように居室番号とクライアント名を対応テーブルにて対応させる必要はない。従って、玄関子機１４０の子機記憶部１４９に居室番号とクライアント名の対応テーブルを設ける必要がない。
【００５１】
呼出されたクライアント端末は着信音が鳴動し、居住者が端末操作部１２１により通話開始操作を行うことで玄関子機１４０との間で通話状態に入る。クライアント端末がビデオ通話可能であればクライアント端末側の端末表示部１２６に玄関子機１４０の子機カメラ１４５にて撮像された来訪者の映像が表示される。また、居住者が来訪者と通話をする際に端末操作部１２１を操作して端末カメラ１２５を能動とすれば玄関子機１４０の子機表示部１４６に居住者の映像を表示することもできる。
【００５２】
上記のような集合玄関機１００と住戸端末（クライアント端末）１２０の間、玄関子機１４０と住戸端末（クライアント端末）１２０の間のインターネット通信サービスによる音声・映像の送受はＬＡＮ回線１８０によりインターネット１７０を介して行われる。ＬＡＮ回線１８０は有線接続（有線ＬＡＮ）でも無線接続（無線ＬＡＮ）でも差し支えない。
【００５３】
このような動作において、来訪者が集合住宅内に入る際の集合玄関の電気錠の解錠については例えば次のように行うことができる。電気錠を解錠する場合、予め解錠時間を設定しておくこともできるが、他の方法として例えば住戸端末（クライアント端末）１２０の端末操作部１２１のテンキー上で、「１」、「３」、「０」、「＃」と押下する。この意味はすなわち、「１」で解錠動作を指示し、「３」及び「０」で３０秒間の解錠時間を設定し、「＃」で解錠動作を開始するものである。解錠動作とは逆に施錠動作においても同様に行うことができ、予め施錠時間（所定の時間後に施錠すること）を設定しておくこともできるが、例えば住戸端末（クライアント端末）１２０の端末操作部１２１のテンキー上から「２」、「１」、「５」、「＃」と押下すると、１５秒後に施錠することができる。すなわち、「２」で施錠動作を指示し、「１」及び「５」で１５秒後の施錠時間を設定し、「＃」で施錠動作を開始するものである。玄関子機１４０の解錠／施錠動作においても上記した集合玄関機１００と住戸端末（クライアント端末）１２０との間における動作とまったく同様である。このようにして予め設定された解錠／施錠の時間とは別に随時解錠／施錠を任意の時間に設定することができる。
【００５４】
また、本発明の集合住宅用インターホン装置においては、集合玄関機１００または玄関子機１４０に予め登録されたクライアント名のクライアント端末から集合玄関機１００または玄関子機１４０を呼出すと、クライアント端末のクライアント名と集合玄関機１００または玄関子機１４０に予め登録されているクライアント名が一致した場合、集合玄関機１００または玄関子機１４０が自動的に応答し、通話を開始し、ビデオ通話が可能な場合は集合玄関機１００の玄関機カメラ１０５または玄関子機１４０の子機カメラ１４５により撮像した映像をモニターすることができる。
【００５５】
この時、例えば集合玄関機１００または玄関子機１４０に複数のカメラが設置されている場合、クライアント端末の端末操作部１２１のテンキーの操作（予め設定された複数のカメラに対応する所定の数値を押下する操作）により複数のカメラのうち特定のカメラによる映像に切り換えることも可能である。なお、クライアント端末のクライアント名と集合玄関機１００または玄関子機１４０に予め登録されているクライアント名が不一致の場合、すなわち集合玄関機１００または玄関子機１４０に登録されていないクライアント名を受信した場合には、集合玄関機１００または玄関子機１４０はこの着信を無視するようにする。
【００５６】
さらに、本発明の集合住宅用インターホン装置においては、来訪者が集合玄関機１００または玄関子機１４０から呼出を行った時に、集合玄関機１００の玄関機タイマ１１３または玄関子機１４０の子機タイマ１５３に予め設定しておいた時間が経過してもクライアント端末が応答しなかった場合、集合玄関機１００の玄関機カメラ１０５より撮像した映像が録画された玄関機記憶部１０９の映像メモリ１０８または玄関子１４０の子機カメラ１４５により撮像した映像が録画された子機記憶部１４８（映像メモリについては不図示）からの録画映像とともにインスタントメッセージを送信することもできる。このようにすると、住戸端末（クライアント端末）１２０において居住者が不在の時や在室していても多忙により応答ができない時に録画画像とともに着信履歴を残すことができる。
【００５７】
また、本発明の集合住宅用インターホン装置においては、ＬＡＮ回線１８０によりインターネット１７０を介して外部通信機器１６０と接続することもできる。外部通信機器１６０の例としては、例えば固定電話、携帯電話、あるいはコールセンターに設置された通信機器などが挙げられる。すなわち、予め住戸端末（クライアント端末）１２０において転送呼出先を設定することにより、集合玄関機１００または玄関子機１４０からはクライアント端末だけではなくインターネット１７０を介して外部通信機器１６０にも転送呼出を行うことができる。
【００５８】
このような本発明の集合住宅用インターホン装置においては、来訪者が集合玄関機１００または玄関子機１４０から呼出を行った時に、集合玄関機１００の玄関機タイマ１１３または玄関子機１４０の子機タイマ１５３に予め設定しておいた時間が経過してもクライアント端末が応答しなかった場合、予め住戸端末（クライアント端末）１２０において転送呼出先を設定することにより、集合玄関機１００または玄関子機１４０はクライアント端末だけではなく外部通信機器１６０の携帯電話に例えばショートメッセージサービス（ＳＭＳ）のショートメールを送信することができる。これにより携帯電話のようなクライアント端末ではない場合であっても来訪者があったことを履歴として残すことができる。
【００５９】
この場合、集合玄関機１００及び玄関子機１４０からのすべての呼出情報を一つの外部通信機器（例えば特定の携帯電話）に送信するようにクライアント端末にて設定しておけば、クライアント端末からの応答がなかった場合にすべての着信履歴が特定の外部通信機器に残るので、集合玄関機１００及び玄関子機１４０からの呼出情報のログ記録として確認することができる。
【００６０】
また、本発明の集合住宅用インターホン装置においては、来訪者が集合玄関機１００または玄関子機１４０から呼出を行った時に、集合玄関機１００の玄関機タイマ１１３または玄関子機１４０の子機タイマ１５３に予め設定しておいた時間が経過してもクライアント端末が応答しなかった場合、予めクライアント端末にて設定することにより例えばコールセンター等に転送し、代理応答させることができる。
【００６１】
このような場合、昼間は通常のインターホン装置として動作させ、夜間のみあるいは居住者が不在時にコールセンター等に転送して代理応答させることも可能である。このような動作は集合住宅ばかりではなく、オフィスビルにも利用することができ、オフィスビルの場合は夜間や不在時の受付業務をコールセンター等に集約できるため経費の削減にもつながる。
【００６２】
さらに、本発明の集合住宅用インターホン装置においては、集合玄関機１００の玄関機通話部１０４はグループビデオ通話機能を備えるようにしてもよい。この場合、住戸端末（クライアント端末）１２０の端末通話部はビデオ通話機能を備えるようにして、集合玄関機１００の玄関機ＣＰＵ１１２は集合玄関機１００に対して複数の住戸端末（クライアント端末）１２０との間でＬＡＮ回線１８０によりインターネット１７０を介してビデオ通話ラインを形成することができる。
【００６３】
このような構成によると、集合玄関機１００から複数の住戸端末（クライアント端末）１２０に対して同時に呼出を行うことができ、その複数の住戸端末（クライアント端末）１２０の中で最初に応対可能な住戸端末（クライアント端末）１２０が応対することができる。このようにすると時間的な無駄が省け、効率のよい通話機能を得ることができる。
【００６４】
また、玄関子機１４０の子機通話部１４４もグループビデオ通話機能を備えるようにしてもよい。この場合は、住戸端末１２０内の複数のクライアント端末の端末通話部がビデオ通話機能を備えるようにすれば、住戸端末１２０内に複数のクライアント端末が存在する時に玄関子機１４０の子機ＣＰＵ１５０は住戸端末１２０内の各クライアント端末に対して同時に呼出を行うことができ、その複数のクライアント端末の中で最初に応対可能なクライアント端末が応対することができる。
【００６５】
このような構成はオフィスビルに利用することもでき、例えばオフィスビルの玄関から複数のクライアント端末を同時に呼出し、最初に応対可能なクライアント端末が応対することにより、専用の受付を配置することがなく、時間的効率及び経費削減の効果を向上させることができる。
【００６６】
また、本発明の集合住宅用インターホン装置においては、集合玄関機１００または玄関子機１４０はｗｅｂサーバを内蔵することにより、インターネット１７０を介して外部通信機器１６０から各種設定やメンテナンスを行うことも可能である。これにより通常クライアント端末から行っていた各種設定やクライアント名の変換テーブルの更新あるいは集合玄関機１００または玄関子機１４０に組み込まれているファームウェアの更新などが可能となる。
【００６７】
本発明の集合住宅用インターホン装置は、上記した実施の形態に限らず各種ソーシャルサービスでも同様に適用することができる。
【産業上の利用可能性】
【００６８】
本発明の集合住宅用インターホン装置は、その技術思想においてオフィスビルや戸建て住宅にも利用することが可能である。
【符号の説明】
【００６９】
１００・・・集合玄関機
１０１・・・玄関機操作部
１０２・・・マイク
１０３・・・スピーカ
１０４・・・玄関機通話部
１０５・・・玄関機カメラ
１０６・・・玄関機表示部
１０７・・・対応テーブル
１０８・・・映像メモリ
１０９・・・玄関機記憶部
１１０・・・玄関機音声処理部
１１１・・・玄関機映像処理部
１１２・・・玄関機ＣＰＵ
１１３・・・集合玄関機電気錠側Ｉ／Ｆ
１１４・・・玄関機電気錠
１１５・・・玄関機タイマ
１１６・・・ネット側玄関機Ｉ／Ｆ
１２０・・・住戸端末（クライアント端末）
１２１・・・端末操作部
１２２・・・マイク
１２３・・・スピーカ
１２４・・・端末通話部
１２５・・・端末カメラ
１２６・・・端末表示部
１２７・・・端末音声処理部
１２８・・・端末映像処理部
１２９・・・端末機億部
１３０・・・端末ＣＰＵ
１３１・・・ネット側端末Ｉ／Ｆ
１４０・・・玄関子機
１４１・・・子機操作部
１４２・・・マイク
１４３・・・スピーカ
１４４・・・子機通話部
１４５・・・子機カメラ
１４６・・・子機表示部
１４７・・・子機音声処理部
１４８・・・子機映像処理部
１４９・・・子機記憶部
１５０・・・子機ＣＰＵ
１５１・・・玄関子機電気錠側Ｉ／Ｆ
１５２・・・玄関子機電気錠
１５３・・・子機タイマ
１５４・・・ネット側子機Ｉ／Ｆ
１６０・・・外部通信機器
１７０・・・インターネット
１８０・・・ＬＡＮ回線
【図１】
2014045307.tif 000003
【図２】
2014045307.tif 000004